(57)【要約】【課題】カードを用いてメールボックスの開閉扉の開閉をロックするカードロック装置において、構成が簡単で、部品点数の少なく、コンパクトに組み立てでき、緊急時にも簡単にロック解除ができるメールボックスのカードロック装置を提供する。【解決手段】ケース本体７内にラッチ１４を水平方向に回転可能かつ前後動可能に設ける。ラッチの回転を阻止するロックプレート２６を上下動可能に設ける。ロックプレートは下方にロックプレートばね２９で付勢されており、下方位置でラッチ１４の当接面２８に対向する。ロックプレート２６は、カード３９で操作されるアクチュエーター３０により上方に移動させられる。【選択図】図７
2015143460.tif 000002
【特許請求の範囲】
【請求項１】
メールボックスの開口部若しくは該開口部を開閉する開閉扉に装着されるケース本体と、メールボックス若しくは開閉扉に設けた係止部に係合するよう該係止部に向かって前後動可能にケース本体内に設けられかつ開閉扉を開くとき回転可能に設けられた板状のラッチと、ラッチ回転を阻止するようランチの当接面に当接可能にラッチの回転方向と交差する方向に移動可能に設けられたロックプレートと、ロックプレートを移動させるアクチュエーターと、該アクチュエーターを動作させる制御装置を具備し、開閉扉を閉める際上記ラッチは係止部に押されて後退し該係止部を越えたとき前進して該係止部に係合して開閉扉がロックされ、上記制御装置が適正なカードを受信した際上記アクチュエーターによりロックプレートが移動し、ラッチを回転させて開閉扉を開くことができるようにしたことを特徴とするメールボックスのカードロック装置。
【請求項２】
上記ラッチは水平方向に回転し、上記ロックプレートは上下方向に移動する請求項１に記載の上記メールボックスのカードロック装置。
【請求項３】
上記ラッチはケース本体内に設けたラッチホルダーに支持され、上記ロックプレートはケース本体内に対向して設けたガイド壁に沿って移動する請求項２に記載のメールボックスのカードロック装置。
【請求項４】
上記アクチュエーターは操作軸を有し、上記ロックプレートはカムに連結され、上記操作軸によりカムを回転させてロックプレートを上下動させるようにした請求項１に記載のメールボックスのカードロック装置。
【請求項５】
上記ラッチは上下方向に回転し、上記ロックプレートは水平方向に移動する請求項１に記載のメールボックスのカードロック装置。
【請求項６】
上記ラッチは、ケース本体内に設けたラッチホルダーに支持され、上記ロックプレートはケース本体に設けた支軸に回動可能に保持されている請求項５に記載のメールボックスのカードロック装置。
【請求項７】
上記アクチュエーターは操作軸を有し、上記ロックプレートはスライドカムに連結され、上記操作軸によりスライドカムを水平移動させてロックプレートを移動するようにした請求項５又は６に記載のメールボックスのカードロック装置。
【請求項８】
上記ラッチはラッチ軸を有し、該ラッチ軸はラッチホルダーに設けた長孔に移動可能に挿入され、該長孔の長さはラッチの先端の突出部をケース本体内に後退させることができる長さである請求項３又は６に記載のメールボックスのカードロック装置。
【請求項９】
上記開閉扉が閉鎖位置にあるときケース本体と上記係止部間には隙間が形成され、該間隙に露出する上記ラッチの一部を押圧してケース本体内に後退させることができる解除具をさらに具備する請求項８に記載のメールボックスのカードロック装置。
【請求項１０】
上記ケース本体には予備電源の接続端子が設けられている請求項１〜９のいずれかに記載のメールボックスのカードロック装置。
【請求項１１】
上記アクチュエーターは、開閉扉を開いた後、若しくは開閉扉を閉じた後、所定時間経過した後に自動的にロックプレートをロック位置に復帰するよう制御される上記請求項１〜１０のいずれかに記載のメールボックスのカードロック装置。
【発明の詳細な説明】
【技術分野】
【０００１】
本発明は、カードを用いて施錠、開錠できるようにしたメールボックスのカードロック装置に関するものである。
【背景技術】
【０００２】
マンション等の集合住宅では、エントランス部分にメールボックスを設け、メールボックスの開閉扉を、カードを用いて施錠、開錠できるようにした装置が知られている(例えば特許文献１参照)。特許文献１に示すメールボックスは機械的なカード錠を用いているので、構成が複雑である。また、一般的な電気錠を用いた各種ロック装置も多数知られている(例えば特許文献２参照)。しかし、特許文献２に記載のシャッター用電気錠は係合板の係合孔に係合するラッチと、ソレノイドにより移動する回転阻止部材をほぼ同一面に設けて、ラッチの回転を許容したり阻止したりする構造であるため、装置の全体面積(フットプリント)が大きくなり、メールボックスの開閉扉のような小さな場所に収めることがむずかしくなる。
【０００３】
さらに、従来のメールボックスでは、停電その他の理由で電気錠を電気的に解除できないとき、開閉扉を緊急に解除できるようにした装置も提案されている(例えば特許文献３参照)。しかし、特許文献３に記載の郵便ボックスは、電気錠とは別に、電気錠の可動部(プランジャー)を直接操作するための解除操作部をボックス本体内に設け、この解除操作部を治具で引き出すことにより電気錠の可動部を移動させて扉に設けた被係止部から上記可動部に連結する係止部を外すようにしてある。そのため、ボックス本体内の構成が複雑になり、経済的に得にくい。
【先行技術文献】
【特許文献】
【０００４】
【特許文献１】特開平２−２２５７８０号公報(特許請求の範囲 )
【特許文献２】特開平１１−２８７０６１号公報(特許請求の範囲、図２、図４)
【特許文献３】特許第４７６６０３２号公報(請求項１、図２、図５、図６)
【発明の概要】
【発明が解決しようとする課題】
【０００５】
本発明の解決課題は、カードを用いてメールボックスの開閉扉の施錠、開錠をできるようにしたメールボックスのカードロック装置において、構成が簡単でメールボックスの狭い開閉扉に簡単にセットでき、緊急時の開錠操作も簡単なメールボックスのカードロック装置を提供することである。
【課題を解決するための手段】
【０００６】
本発明によれば、メールボックスの開口部若しくは該開口部を開閉する開閉扉に装着されるケース本体と、メールボックス若しくは開閉扉に設けた係止部に係合するよう該係止部に向かって前後動可能にケース本体内に設けられかつ開閉扉を開くとき回転可能に設けられた板状のラッチと、ラッチの回転を阻止するようランチの当接面に当接可能にラッチの回転方向と交差する方向に移動可能に設けられたロックプレートと、ロックプレートを移動させるアクチュエーターと、該アクチュエーターを動作させる制御装置を具備し、開閉扉を閉める際上記ラッチは係止部に押されて後退し該係止部を越えたとき前進して該係止部に係合して開閉扉がロックされ、上記制御装置が適正なカードを受信した際上記アクチュエーターによりロックプレートが移動し、ラッチを回転させて開閉扉を開くことができるようにしたことを特徴とするメールボックスのカードロック装置が提供され、上記課題が解決される。
【０００７】
本発明によれば、上記開閉扉が閉鎖位置にあるときケース本体と上記係止部間には隙間が形成され、該間隙に露出する上記ラッチの一部を押圧してケース本体内に後退させることができる解除具をさらに具備する上記メールボックスのカードロック装置が提供され、上記課題が解決される。
【０００８】
本発明によれば、上記ラッチは水平方向に回転し、上記ロックプレートは上下方向に移動する上記メールボックスのカードロック装置が提供される。
【発明の効果】
【０００９】
本発明は上記のように構成され、メールボックスの開口部若しくは該開口部を開閉する開閉扉に装着されるケース本体と、メールボックス若しくは開閉扉に設けた係止部に係合するよう該係止部に向かって前後動可能にケース本体内に設けられかつ開閉扉を開くとき回転可能に設けられた板状のラッチと、ラッチの回転を阻止するようランチの当接面に当接可能にラッチの回転方向と交差する方向に移動可能に設けられたロックプレートと、ロックプレートを移動させるアクチュエーターと、該アクチュエーターを動作させる制御装置を具備し、開閉扉を閉める際上記ラッチは係止部に押されて後退し該係止部を越えたとき前進して該係止部に係合して開閉扉がロックされ、上記制御装置が適正なカードを受信した際上記アクチュエーターによりロックプレートが移動し、ラッチを回転させて開閉扉を開くことができるようにしたから、開閉扉を閉じる際は係止部にラッチが当たると該ラッチは後退し、係止部を乗り越えたとき前進して係止部に係止し、開閉扉を閉鎖することができ、また制御装置はロックプレートをロック位置に移動してラッチをロックすることができる。メールボックスを開ける際は、カードを制御装置に近接させると、制御装置が信号を受信してアクチュエーターを駆動し、ロックプレートを解除位置に移動させ、ラッチは回転を阻止するものがなくなり、回転可能状態となる。そして開閉扉を引き出せば係止部にラッチが当たったとき該ラッチが回転して扉を開くことできる。この際、ラッチの回転方向と、ロックプレートの移動方向は交差する方向、好ましくは直行方向に位置するように設けたので、全体の機構をコンパクトに形成することができ、部品点数も少なく、小さなケース本体内に組み込むことが可能となり、経済的に得ることができる。  
【００１０】
また、上記開閉扉が閉鎖位置にあるときケース本体と上記係止部間に隙間を形成し、該間隙に露出する上記ラッチの一部を押圧してケース本体内に後退させることができるよう解除具を形成すると、通常時はカードでロックの解除を行っているが、緊急時には上記解除具でロックを解除することができる。すなわち、メールの投入口からメールボックス内に解除具を差し込み、その先端を上記間隙からラッチの側面に当ててラッチをケース本体内に後退させれば、ラッチは係止部から離れるので、カードを用いずに開閉扉を開くことができる。
【図面の簡単な説明】
【００１１】
【図１】本発明のカードロック装置を用いたメールボックスの一実施例を示す正面図。
【図２】開扉状態のメールボックスの斜視図。
【図３】本発明の一実施例を示す装置の斜視図。
【図４】正面の蓋体を外して示す正面図。
【図５】ロック状態のケース本体を断面して示す平面からみた説明図。
【図６】図５に示すロック装置のＡ−Ａ線に沿った説明図。
【図７】要部の分解斜視図。
【図８】施錠状態を示す説明図。
【図９】開閉扉を閉める際の各部材の移動状態を示す説明図。
【図１０】ロックを外す状態を示す説明図。
【図１１】ロックが外れて扉を開く際の説明図。
【図１２】緊急時の解除状態を示す説明図。
【図１３】予備電源の説明図。
【図１４】他の実施例を示す斜視図。
【図１５】メールボックスを積層した状態の断面図。
【図１６】カードロック装置の斜視図。
【図１７】施錠状態の横断面図。
【図１８】施錠状態の縦断面図。
【図１９】要部の分解斜視図。
【図２０】ロックプレートを示し、Ａは平面図、Ｂは正面図、Ｃは側面図。
【図２１】ラッチの動作を説明し、Ａは開閉扉の開き始め、Ｂは開閉扉が係止部を越えた状態、Ｃは開閉扉を閉じ始め、Ｄはラッチが係止部に係合した状態の各説明図。
【図２２】ロックプレートの動作を説明し、Ａはアクチュエーターの操作軸が前進しているとき、Ｂはアクチュエーターの操作軸が後退しているときの各説明図。
【図２３】アクチュエーターの操作軸が後退しているときの横断面図。
【発明を実施するための形態】
【００１２】
図１〜図４は本発明の一実施例を示し、メールボックス１の開口部２には、開閉可能に開閉扉３が設けられている。図に示すメールボックスは、開閉扉３に投入口４が設けられ、開閉扉を開けて前方から郵便物を取り出すよう構成されているが、メールボックスの前面側に投入口を設け、裏面側に開閉扉を設けて郵便物を後面から取り出すようにしてもよい(図示略)。また、図に示す実施例では開閉扉３の一端を開口部２の側辺側に蝶着して水平方向に開閉できるようにしてあるが、開口部の上辺若しくは下辺に蝶着して上下方向に開閉するようにしてもよい。
【００１３】
図２に示すように、図に示す実施例では、メールボックスの開口部２には係止部５が設けられ、この係止部５に係合可能なラッチを有するカードロック装置６を開閉扉３に設けてあるが、カードロック装置６をメールボックスの開口部２側に設け、係止部５を扉３側に設けることもできる。
【００１４】
図３〜図７を参照し、カードロック装置６のケース本体７は、開閉扉３に装着可能な略立方体形状に形成され、前面に蓋板８が嵌着され、該蓋板８には起動スイッチ９、動作確認や電池の消耗を知らせるための確認用ＬＥＤランプ１０、予備電源接続端子１１等が設けられている。ケース本体７の内部には、略Ｌ字状のラッチホルダー１２がねじ１３で固着されている。このラッチホルダー１２とケース本体７の内面の間には、板状のラッチ１４を挿入するための空間が形成されている。
【００１５】
上記ラッチ１４は、開口部２側に向けて傾斜する傾斜面１５とケース本体７の前面に沿う規制面１６で略三角形状に形成された突出部１７を先端に具備し、ラッチホルダー１２に設けた長孔１８に挿入されて該長孔１８に沿って前後方向に移動可能なラッチ軸１９が設けられている。ここで、上記突出部１７がケース本体７の側面から突出する方向を前進とし、ケース本体内に該突出部１７が没入する方向を後退とする。また、ラッチ１４にはラッチホルダー１２に設けた遊動孔２０内で前後動及び回動可能なばね掛けピン２１がある。ラッチホルダーに形成した掛け止め部２２にはラッチばね２３が設けられ、該ラッチばね２３の一端２４は前進する方向にラッチ１４を付勢するよう上記ばね掛けピン２１に架け渡されている。該ラッチ１４は施錠位置にあるとき、上記突出部１７はケース本体７の側面から突出し、かつ上記規制面１６がラッチホルダー１２の一端に形成した突起２５に当たって、図７において反時計方向の回転が規制されている。扉を開くとき、上記ラッチばね２３に抗して上記ラッチ軸１９を中心として突出部１７が回転しながらケース本体７内に移動する方向、図７において時計方向に水平方向に回転可能かつ前後動可能である。また、後記するように、緊急時に解除具でラッチを施錠状態から解除できるよう上記長孔１８及び遊動孔２０の長さは、ラッチが回転せずに水平方向に移動して突出部１７をケース本体内に後退できる長さに形成されている。
【００１６】
上記ラッチ１４は、上記のように水平方向に、図７において時計方向に回転するが、この回転方向と交差する方向、図に示す実施例では上下方向に移動可能にロックプレート２６が設けられている。該ロックプレート２６はケース本体内に対向して設けたガイド壁２７間に設けられ、下方に移動したとき上記ラッチ１４の側面に形成した当接面２８に係合してラッチ１４の時計方向の回転を阻止するロック位置と、上方に移動したときラッチ１４の当接面２８から離れ、ラッチ１４の時計方向の回転を許容する解除位置間を移動する。該ロックプレート２６は上記当接面２８に係合する方向に、図に示す実施例では下方にロックプレートばね２９で付勢されている。上記当接面は、図に示す実施例ではラッチの側面に形成してあるが、ラッチに適宜な孔や切欠き、突起等を設けて当接面としてもよい(図示略)。また、上記実施例では開閉扉を水平方向に開閉し、ラッチも水平方向に回転させているが、開閉扉が上下方向に開閉するときは、ラッチを垂直方向に回転させ、ロックプレートを水平方向に移動するようにすればよい(図示略)。
【００１７】
上記ロックプレート２６は、アクチュエーター３０により移動させられる。このアクチュエーターとしてはソレノイドを使用することもできるが、モーターアクチュエーター、リニアアクチュエーター、リニアシリンダー、電動スライダー、電動シリンダーその他のアクチュエーターを好適に用いることができ、実施例ではケース本体７内に収納できる小型の電動アクチュエーターを用いている。また、ＩＣカード、磁気カード等の非接触カードを近接した際、適正なカードを受信したとき該アクチュエーターを動作させるためのアンテナ基板３１、受信回路等を含む公知の制御装置(図示略)、電池３２を設けてある。
【００１８】
上記アクチュエーター３０によりロックプレート２６を移動させる機構として、図に示す実施例ではケース本体７内にカム３３を枢着し、該カム３３に形成した係止端３４を、上記ロックプレート２６に設けた係止溝３５に差し込むとともに、上記アクチュエーター３０の操作軸３６に設けたピン３７をカム３３の連結孔３８に挿入してある。そして、操作軸３６が前進しているとき上記係止端３４、係止溝３５を介してカム３３はロックプレート２６を下方に移動させ、ラッチ１４の当接面２８にロックプレート２６を係合させている(ロック位置)。アクチュエーター３０が動作したとき操作軸３６は後退しロックプレート２６はラッチ１４の当接面２８から離れる(解除位置)。なお、移動機構としては、アクチュエーターでロックプレートを直接的に上下動させるよう構成することもできる(図示略)。
【００１９】
上記の構成により、平常時、アクチュエーター３０の制御装置が適正なカード３９を検知していないとき、アクチュエーター３０の操作軸３６は、ロックプレート２６を降下させるロックプレートばね２９により前進しており、ラッチ１４は水平方向には移動可能であり、時計方向の回転が阻止された状態でケース本体７から突出する方向に前進している。この状態で扉３を閉めると、ラッチ１４は突出部１７の傾斜面１５が、メールボックス１の開口部２に設けられた係止部５に当たり、後退させられ(図９)。該突出部１７が上記係止部５を越える位置まで扉を閉めたときラッチ１４はラッチばね２３により前進し、係止部５に係合する(図５、図８、施錠位置)。
【００２０】
上記制御装置が適正なカード３９を検出すると、アクチュエーター３０が動作し、操作軸３６が後退し、ロックプレート２６はラッチ１４のロックを解除する(図１０)。これによりラッチ１４は時計方向に回転可能になるから、開閉扉３を手前に引き出せばラッチ１４は上記係止部５に当たって回転し、扉３を開いて郵便物を取り出すことができる。
【００２１】
上記開閉扉３を閉じると上述のようにしてラッチ１４を係止部５に係合させることができるが、アクチュエーター３０の操作軸３６が後退したままだと、ロックプレートばね２９の作用だけでは、ロックプレート２６が復帰しないおそれもある。そのようなときは、ロックプレート２６によるラッチ１４の回転阻止が不確実になってしまうで、実施例においては、アクチュエーター３０による開扉後、若しくは閉扉後、所定時間、例えば１５秒程度経過したときアクチュエーター３０が動作して操作軸３６が前進しロックプレート２６がロック位置に確実に復帰するよう自動制御している。なお、上記カード３９を用いてアクチュエーター３０を動作させ、上記操作軸３６を前進してロックプレートがロック位置に復帰するようにしてもよい。また、操作軸の周囲に、該操作軸を前進位置に向けて付勢するばね(図示略)を巻回しておき、アクチュエーターに通電したときに操作軸が該ばねに抗して後退し、非通電時に該ばねにより前進位置に復帰するようにしてもよい。
【００２２】
上記のように本発明のカードロック装置はアクチュエーター３０により電気的に操作しているが、電池切れその他の緊急事態が生じたとき、施錠状態のロックを解除できることが望ましい。図１２はそのような場合の位置実施例を示している。図１２において、上記開閉扉３が閉鎖位置にあるとき、ケース本体７と上記係止部５間には隙間４０が形成されている。この隙間４０からはラッチ１４の突出部１７の傾斜面１５が露出しており、先端４１をこの隙間に挿入できる略Ｌ字状に屈曲させた解除具４２が用意されている。上述のように、施錠状態でラッチ１４は、後退可能に支持されているので、緊急時に開閉扉３の投入口４から上記解除具４２を挿入し、上記先端４１を隙間４０に差し込み、図において手前に引くとラッチ１４の突出部１７を、ラッチばね２３に抗して、図１２鎖線で示すように、ケース本体７内に押し込むことができ、係止部５とラッチ１４の係合を外して扉３を開くことができる。
【００２３】
なお、ケース本体７内の電池３２が消耗したときは、図１３に示すように予備電池４３を用意し、予備電池４３に繋がるケーブル４４の端子４５を上記予備電池接続端子１１に接続して外部電源によりロックを解除するようにしてもよい。
【００２４】
上記実施例は、メールボックスの開口部の側辺側に開閉扉を蝶着しているが、図１４以降には、開閉扉３を開口部２の上辺側に蝶着したメールボックス１が示されている。この実施例において、前面側から投入した郵便物を後面側から取り出せるよう投入口４は、図１４において開閉扉３と反対側の側面に設けられている。上記開口部２の下辺側には係止部４６が設けられ、これに対応して開閉扉３にはカードロック装置４７が設けられている。係止部４６は種々の形状に形成することができるが、図１４、図１５に示す係止部４６は、金属材料を屈曲して成形され、メールボックス１の底面の固着される基板４８から上方に起立する起立片４９と、その上端から前方に傾斜して延びる中間斜片５０と、中間斜片５０の下端に繋がる底片５１と、中間斜片と間隔を空けて底片の先端から斜め後方に立ち上がる前片５２を有している(図１８参照)。
【００２５】
図１６〜図１８を参照し、上記カードロック装置４７は、開閉扉に装着可能な略立方体状に形成され、前面に蓋板５３が設けられ、この蓋板５３には起動スイッチ５４、確認用ＬＥＤランプ５５、予備電源接続端子５６、開閉扉のつまみ片５７が設けられている。図１８に示すように、ケース本体５８の内部には先端が下面から出没するよう板状のラッチ５９が組み込まれており、ケース本体５８の上部にはラッチ５９がケース本体内に後退したとき、ラッチ５９の後端が進入するよう逃げ孔６０が設けられている。さらに、後記するように、上記ラッチ５９は、解錠時、回転しながらケース本体内に後退するが、そのときラッチ５９の移動を案内しかつ回転を許容するようラッチの幅より少し広幅のスリット６１がケース本体の底面から裏面側わたって設けられている。また、後記する電池を着脱するための開閉蓋６２の一部がケース本体５８の上面に表れている。
【００２６】
図１８、図１９を参照し、上記ラッチ５９は、開口部２側に傾斜する傾斜面６３と、上記スリット６１の底面側端部に摺接する前部摺動面６４と、ケース本体５８の後面側に開口するスリット６１に入り込み両側面が該スリットに案内される案内面６５と、ケース本体５８の後部側内面に摺接する後部摺動面６６を有し、先端が略三角形形状に形成された突出部６７を有している。また、該ラッチ５９には、ラッチの回転中心となるラッチ軸６８が設けられ、該ラッチ軸６８は、ラッチホルダー６９に設けた長孔７０に移動可能に挿入され、該ラッチホルダー６９はケース本体５８にねじ７１で固着され、ラッチ５９の前部摺動面６４に沿う突起７２が形成されている。また、ラッチ５９の側面にはばね掛けピン７３が突設され、該ばね掛けピン７３にはラッチばね７４の一端７５が掛け止められている。このラッチばね７４は、コイルばねで構成され、ケース本体５８にねじ７６で固着される押え板７７の取付突起７８に巻回部を挿入し、他端７９を当接突起８０に掛け止めている。このラッチばね７４により、ラッチ５９は、図１８において、上下方向に移動可能に保持され、施錠位置において、ラッチ５９は突出部６７がケース本体５８の下面から突出するように前進し、解錠するときにはケース本体内に後退可能である。図１８において、ラッチ５９の前部摺動面６４と後部摺動面６６がケース本体５８に当たっているので、時計方向の回転は規制され、反時計方向の回転は可能であるが、ロックプレート８１により施錠状態ではロックされており、図１８において、反時計方向には回転しない。図１８に示すように、上記ラッチホルダー６９の長孔７０の長さは、緊急時に解除具でラッチを移動させた際、ラッチ５９の突出部６７をケース本体内に後退させることができる長さに形成されている。
【００２７】
図１８に示す施錠位置において、ラッチ５９の反時計方向の回転を規制するロックプレート８１は、ラッチ５９の移動方向と交差する方向、図に示す実施例では水平方向に移動可能に設けられている。図１９、図２０を参照し、ロックプレート８１は平面視略三角形状に形成され、先端部がケース本体５８にねじ８２で固着される支軸８３に回動可能に枢着されている。また、一側端は上記ラッチ方向に向けて屈曲しており、水平方向に移動した際、ラッチ５９の当接面８４に当接可能な係合部８５が形成されている。このロックプレート８１には対向する制御面ａ、ｂを形成した略Ｕ字状の係止溝８６が形成されている。また、コイルばね状のロックプレートばね８７の卷回部を掛け止める取付突起８８と、該ロックプレートばね８７の一端８９を掛け止める掛け止めピン９０を有し、この取付突起８８には、上記ねじ８２が挿通するよう取付孔９１が設けられている。
【００２８】
上記ロックプレート８１の係止溝８６に挿入される制御ピン９２を有するスライドカム９３が設けられている。該スライドカム９３は、受溝９４を形成するよう両側に起立片９５を有し、この受溝９４には上記押え板７７に形成した案内片９６が挿入され、スライドカム９３の移動をガイドしている。上記制御ピン９２には、上記ロックプレートばね８７の他端９７が掛け止められ、ロックプレート８１の係合部８５がラッチ５９から離れる方向に付勢している。
【００２９】
上記ロックプレート８１を、係合部８５がラッチ５９の当接面８４から離れる方向と、係合部８５がラッチ５９の当接面８４に係合する方向に移動するよう上記スライドカム９３はアクチュエーター９８の操作軸９９に保持されている。このアクチュエーターとしてはソレノイドを使用することもできるが、モーターアクチュエーター、リニアアクチュエーター、リニアシリンダー、電動スライダー、電動シリンダーその他のアクチュエーターを好適に用いることができ、実施例ではケース本体内に収納できる小型の電動アクチュエーターを用いている。また、ＩＣカード、磁気カード等の非接触カードを近接した際、適正なカードを受信したとき該アクチュエーターを動作させるためのアンテナ基板１００、受信回路等を含む公知の制御装置(図示略)、電池１０１等が設けられている。
【００３０】
上記の構成により、平常時、アクチュエーター９８の制御装置が適正なカードを検出していないとき、アクチュエーター９８の操作軸９９は前進しており、スライドカム９５の制御ピン９２が係止溝８６の制御面ａに当接して、ロックプレート８１は係合部８５がラッチ５９の当接面８４に当接するロック位置方向に回転している(図１７、図２２Ａ)。したがって、ラッチ５９は図１８において、ラッチばね７４に抗して上方向には移動可能であるが、反時計方向に回転することができず、突出した状態に維持され、施錠状態になっている。
【００３１】
上記制御装置が適正なカードを検出すると、アクチュエーター９８が動作し、操作軸９９が後退する。それにより、スライドカム９３が後退して制御ピン９２がロックプレート８１の係止溝８６の制御面ｂに当たり、ロックプレート８１を図２２において、時計方向に回転させ、係合部８５をラッチ５９の当接面８４から離反させ、ロック位置から解除する(図２２Ｂ、図２３ )。この状態でラッチ５９は、ラッチばね７４に抗して、反時計方向に回転及び後退可能になるから、図２１に示すように、開閉扉３を開けると、ラッチ５９は係止部４６に当たって回転しながら後退し、扉を開いて郵便物等を取り出すことができる(図２１、Ａ、Ｂ)。
【００３２】
この状態から扉を閉めると、ラッチ５９は、突出部６７の傾斜面６３がメールボックスの係止部４６に当たって後退し、突出部６７が上記係止部４６を越えたときラッチばね７４により前進して係止部４６に係合する(図２１Ｃ、Ｄ)。このとき、上記アクチュエーター９８の操作軸９９は後退したままなので、ラッチは回転可能である。そのため、再度カードを制御装置に近づけ、アクチュエーター９８を動作させ、操作軸９９を前進させてロックプレート８１を移動し、上述のようにしてラッチ５９をロックすればよい(図１８、図２２Ａ)。なお、カードによるこのような操作をせずに、上記実施例と同様に、タイマーを設けて開閉扉を開いた後、若しくは開閉扉を閉鎖した後、所定時間経過したら自動的にアクチュエーターを動作して操作軸を前進させ、ラッチをロックするよう自動制御することが好ましい。
【００３３】
上記実施例と同様に、図１８に示す施錠状態でラッチは上方に移動可能にラッチホルダーに保持されているから、緊急時には、投入口４から適宜の解除具を差し込んで、ラッチの傾斜面を押し、ラッチ５９を上昇させて、突出部６７をケース本体内に後退させれば、開閉扉を開くこともできる(図示略)。
【符号の説明】
【００３４】
１    メールボックス
２    開口部
３    開閉扉
４    投入口
５、４６  係止部
６、４７  カードロック装置
７、５８  ケース本体
１２、６９  ラッチホルダー
１４、５９  ラッチ
１５、６３  傾斜面
１６  規制面
１７、６７  突出部
１９、６８  ラッチ軸
２１  ばね掛けピン
２３、７４  ラッチばね
２６、８１  ロックプレート
２８、８４  当接面
２９、８７  ロックプレートばね
３０、９８  アクチュエーター
３２、１０１  電池
３３  カム
３６、９９  操作軸
３９  カード
４２  解除具
４３  予備電池
【図１】
2015143460.tif 000003
【図２】
2015143460.tif 000004
【図３】
2015143460.tif 000005
【図４】
2015143460.tif 000006
【図５】
2015143460.tif 000007
【図６】
2015143460.tif 000008
【図７】
2015143460.tif 000009
【図８】
2015143460.tif 000010
【図９】
2015143460.tif 000011
【図１０】
2015143460.tif 000012
【図１１】
2015143460.tif 000013
【図１２】
2015143460.tif 000014
【図１３】
2015143460.tif 000015
【図１４】
2015143460.tif 000016
【図１５】
2015143460.tif 000017
【図１６】
2015143460.tif 000018
【図１７】
2015143460.tif 000019
【図１８】
2015143460.tif 000020
【図１９】
2015143460.tif 000021
【図２０】
2015143460.tif 000022
【図２１】
2015143460.tif 000023
【図２２】
2015143460.tif 000024
【図２３】
2015143460.tif 000025